(57)【要約】【課題】排尿によって生じた変色を初めとする視覚的変化が外部から認識され易い吸収性物品を提供すること。【解決手段】本発明の吸収性物品１は、吸収体４と裏面シート３との間の所定部位に、水分と接触すると視覚的に変化する親水性の剤１０を含んでいる。裏面シート３には水分と接触しても視覚的に変化しない模様１２が施されている。吸収性物品１の股下部Ｂにおいては、裏面シート３は、吸収性物品１の厚み方向に関して、親水性の剤１０が含まれている部位と重ならない部分にのみ模様１２を有している。親水性の剤１０が視覚的に変化する前後何れかの色と、模様１２の色とは類似色である。【選択図】    図１
2004337385.tif 000002
【特許請求の範囲】
【請求項１】
吸収体と、該吸収体の着用者肌当接面側と反対側に液不透過性の裏面シートとを備え、股下部並びに該股下部から前後に延びる腹側部及び背側部をそれぞれ有する吸収性物品であって、
前記吸収性物品は、前記吸収体と前記裏面シートとの間の所定部位に、水分と接触すると視覚的に変化する親水性の剤を含んでおり、
前記裏面シートに水分と接触しても視覚的に変化しない模様が施されており、
前記吸収性物品の前記股下部においては、前記裏面シートは、該吸収性物品の厚み方向に関して、前記親水性の剤が含まれている部位と重ならない部分にのみ前記模様を有しており
前記親水性の剤が視覚的に変化する前後何れかの色と、前記模様の色とが類似色である吸収性物品。
【請求項２】
前記吸収体が吸収性コアと該吸収性コアの周囲を被覆するシート材とを含み、前記裏面シートと前記吸収性コアとの間に前記シート材が介在しており、該シート材の坪量が５〜３０ｇ／ｍ２である請求項１記載の吸収性物品。
【請求項３】
前記親水性の剤が、水分と接触する前には前記吸収体と前記裏面シートとの接着剤として機能する成分を含んでいる請求項１又は２記載の吸収性物品。
【請求項４】
前記吸収性物品の厚み方向に関して、前記所定部位では前記シート材が複数枚重なっており、
前記重なり合っているそれぞれのシート材は、前記吸収性物品の厚み方向に関して、前記親水性の組成物が存在する領域との重なり部分の一部において、疎水性の粘着剤で互いに接着されている請求項２記載の吸収性物品。
【請求項５】
前記親水性の剤が前記腹側部から前記背側部にわたり長手方向に沿って存在している請求項１〜４の何れかに記載の吸収性物品。
【発明の詳細な説明】
【０００１】
【発明の属する技術分野】
本発明は、排尿の前後での視覚的変化が観察者に分かり易く、取り替え時期を確実に知らせる機能を有する吸収性物品に関する。
【０００２】
【従来の技術及び発明が解決しようとする課題】
これまで、排尿等によって濡れた場合に取り替え時期を知らせる機能を有する使い捨ておむつが種々提案されている。例えば、吸収性コアにおける着用者当接面と反対側の面に尿が到達すると変色するｐＨ指示薬を含むおむつが知られている（特許文献１〜３参照）。また、水に濡れると変色する剤を含むおむつ（特許文献４）等も知られている。
【０００３】
しかしいずれの技術においても、変色の程度が外部から明確に認識し難いという問題がある。この理由は、変色する剤は親水性であるので、尿を感知したときには剤が尿に溶解してにじみが生じ色がぼやけてしまうからである。しかも、尿を感知するには吸収性コアとなるべく近い位置に変色する剤を配することが好ましいため、吸収性コアに該剤が吸収・拡散されると、外部から色が一層認識されにくくなる。また、通常おむつには種々の絵柄等が配されていることから、変色部分はおむつ全体の外観を損ねないように小さく配されることが多く、そのような場合に前記のような現象が生じると、外部から変色が一層認識されにくくなる。
【０００４】
【特許文献１】
特開昭５５−３６３２６号公報
【特許文献２】
特開昭５６−４３４０２号公報
【特許文献３】
特開平１１−４８５２号公報
【特許文献４】
特開昭５８−１７４６０１号公報
【０００５】
従って本発明の目的は、排尿によって生じた変色を初めとする視覚的変化が外部から認識され易い吸収性物品を提供することにある。
【０００６】
【課題を解決するための手段】
本発明は、吸収体と、該吸収体の着用者肌当接面側と反対側に液不透過性の裏面シートとを備え、股下部並びに該股下部から前後に延びる腹側部及び背側部をそれぞれ有する吸収性物品であって、
前記吸収性物品は、前記吸収体と前記裏面シートとの間の所定部位に、水分と接触すると視覚的に変化する親水性の剤を含んでおり、
前記裏面シートに水分と接触しても視覚的に変化しない模様が施されており、
前記吸収性物品の前記股下部においては、前記裏面シートは、該吸収性物品の厚み方向に関して、前記親水性の剤が含まれている部位と重ならない部分にのみ前記模様を有しており
前記親水性の剤が視覚的に変化する前後何れかの色と、前記模様の色とが類似色である吸収性物品を提供することにより、前記目的を達成したものである。
【０００７】
【発明の実施の形態】
以下、本発明をその好ましい実施形態に基づき図面を参照しながら説明する。図１には本発明の一実施形態としての使い捨ておむつを裏面シート側からみた一部破断平面図が示されている。図２は図１におけるＩＩ−ＩＩ線断面図である。図２においては表面シート２の側が上側に描かれている。おむつ１は、液透過性の表面シート２、液不透過性の裏面シート３及びこれら両シート２，３間に介在される吸収体４を有し、実質的に縦長に形成されている。吸収体４は、吸収性コア４１の周囲が、親水性のティッシュペーパー等の薄手の紙からなる台紙４２によって覆われて構成されている。台紙４２は、吸収性コア４１の表面シート２側の面を覆う第１の台紙４２ａと、吸収性コア４１の裏面シート３側の面を覆い且つ表面シート２側の側縁まで巻き上げられている第２の台紙４２ｂとからなっている。台紙４２は、吸収性コア４１の保形性を維持する目的で用いられている。
【０００８】
裏面シート３の外側（吸収体側とは反対側）の面には、不織布からなる外装カバーシート７が配されている。外装カバーシート７はおむつ１の外縁をなしている。おむつ１は、股下部Ｂ並びに股下部Ｂから前後に延びる腹側部Ｃ及び背側部Ａを備えている。背側部Ａは、おむつ使用時に着用者の背中側に位置する部位である。腹側部Ｃは、おむつ使用時に着用者の腹側に位置する部位である。背側部Ａの左右両側縁にはファスニングテープ８，８が設けられている。ファスニングテープ８は、おむつ着用時に腹側部Ｃの外装カバーシート７上に設けられたランディングテープ９に止着される。
【０００９】
吸収体４は、表面シート２及び裏面シート３によって挟持・固定されている。吸収体４の前後端縁から前後方向に延出するウエスト部５，５及び左右側縁から横方向に延出するレッグ部６，６には、おむつ着用者に各部を着用者にフィットさせるためのウエスト部弾性部材５１及びレッグ弾性部材６１がそれぞれ設けられている。また、おむつ１の表面シート側における長手方向左右両側には、それぞれ立体ガード１１が形成されている。立体ガード１１の自由端には立体ガード弾性部材１１１が配されて、ギャザーが形成されている。
【００１０】
おむつ１を構成する以上の各部材としては当該技術分野において従来公知のものを特に制限なく用いることができる。例えば表面シート２としては親水性の不織布や開孔フィルムなどを用いることができる。裏面シート３としては液不透過性のフィルムなどを用いることができる。吸収性コア４１としては、フラッフパルプと高吸水性ポリマーの粒子との積繊体を用いることができる。弾性伸縮部材６１，７１としては各種エラストマー材料を用いることができる。
【００１１】
而して本実施形態の使い捨ておむつ１は、図１及び図２に示すように、裏面シート３と第２の台紙４２ｂとの間に、水分と接触すると視覚的に変化する親水性の剤（以下、変化剤という）１０を含んでいる。本実施形態においては、裏面シート３側に配されている第２の台紙４２ｂの表面上に接するように変化剤１０を設け、該変化剤１０が裏面シート３に臨むようになっている。より具体的には、後述する方法で粘着成分にｐＨ指示薬（例えばブロモフェノールブルー）等を混合したホットメルト組成物からなる変化剤１０を裏面シート３における吸収体対向面に塗布し、該吸収体対向面上に、吸収性コア４１が台紙４２ａ，４２ｂに覆われてなる吸収体４を載置している。本発明において「視覚的に変化する」とは、水分との接触の前後で色が変化する場合、水分との接触で色が消失する場合、及び水分との接触で色が現れる場合を含む概念である。本実施形態の変化剤１０は、水分との接触の前後で色が変化する場合に該当する。
【００１２】
本実施形態において、変化剤１０はおむつ幅方向の中央部分において、おむつの背側部Ａ、股下部Ｂ及び腹側部Ｃにわたって直線状に設けられている。より具体的には、おむつ幅方向に３本の細長い線が並列するように設けられている。この構成によって、股下部Ｂでの変化剤１０の視覚的変化を、視覚的変化の比較的起きにくい背側部Ａや腹側部Ｃとの比較によって明確に認識できるようにしている。しかも、変化剤１０を細幅帯状の形態にしておむつ幅方向に複数本（本実施形態では３本）並列させているので、視覚的変化が一層認識し易い。
【００１３】
本発明の使い捨ておむつでは、裏面シート３に水分と接触しても視覚的に変化しない模様１２が施されており；裏面シート３は、おむつ１の股下部Ｂにおいては、おむつ１の厚み方向に関して、変化剤１０が含まれている部位と重ならない部分にのみ模様１２を有しており；変化剤１０が視覚的に変化する前後何れかの色と、模様１２の色とが類似色である点に大きな特徴がある。本実施形態の使い捨ておむつ１においては、３本の変化剤１０の線よりもおむつ幅方向外側に、うさぎの模様１２の模様列がおむつ長手方向に延びるように２列施されている。
模様１２は、裏面シート３における外装カバーシート７との対向面に施されている。各模様列においては、青緑色の模様のうさぎと桃色のうさぎとが交互に配されている。一方、変化剤１０の各線は、変化前は黄色であり変化後には青緑色となる。具体的には、変化剤１０としてブロモフェノールブルーを含むものを用いている。
【００１４】
本実施形態のおむつ１を例にとって視覚的変化の視認性が高まるメカニズムを説明する。排尿前には、模様１２は青緑色で、変化剤１０の線は黄色である。このため、両者は異なった色として観察者（おむつ着用者が幼児の場合には、母親等）に認識される。しかし、排尿後尿が変化剤１０まで到達すると、変化剤１０は青緑色に変化する。このため、観察者は第一次的に模様１２と変化剤１０の線の色とが類似したものになることにより違和感を覚えることとなる。次いで第二次的に、模様１２の色と変化剤１０の線の色とが同じことになったことに気付き、おむつ１の取り替え時期が来たことを知る。このとき重要なのは、股下部Ｂにおいて変化剤１０の線と模様１２とがおむつ幅方向に関して離間していることである。つまり、おむつ１の股下部Ｂにおいては、裏面シート３は、おむつ１の厚み方向に関して、変化剤１０が含まれている部位と重ならない部分にのみ模様１２を有している。変化剤１０の線と模様１２とが両者が重なっていると、変化剤１０の線の色の変化が見づらくなり、観察者はおむつ１の取り替え時期を逃してしまうおそれが高くなる。
【００１５】
変化剤１０の線と模様１２との離間距離は、近すぎると変化剤１０の色の変化が見づらく、離れ過ぎると変化剤１０の色の変化に対する違和感を感じにくくなる。この見地から、両者の離間距離は、５〜３０ｍｍ、特に７〜２５ｍｍが好ましい。
【００１６】
本実施形態のおむつ１においては、おむつ１の長手方向全域にわたって、変化剤１０の線と模様１２とが、おむつ幅方向に関して離間しているが、股下部Ｂ以外の部分では両者は重なっていても構わない。この理由は、排尿を最も多く受ける可能性があるのは股下部Ｂであるから、股下部Ｂにおいてのみ変化剤１０の線と模様１２とが離間していれば、観察者は色の変化を十分に認識し得るからである。そうは言っても、着用者が寝ている時等には尿が予期せぬ方向へ放出されることもあり得るので、背側部Ａ及び腹側部Ｃにおいても、変化剤１０の線と模様１２とが、おむつ幅方向に関して離間していることが好ましい。
【００１７】
変化剤１０の線の色と模様１２の色との類似性については、通常の注意力を有する観察者が見て類似していると認識し得る程度であればよい。認識性をより高くするためには、オスワルド（Ｏｓｔｗａｌｄ）色相環によって分類された２４色の色票で、同じ色票であるか色相番号が１つだけずれた範囲のものであることが好ましい。
【００１８】
次に、本発明において用いられる変化剤１０について説明する。変化剤は水分と接触することによって視覚的に変化する物質（以下、変色物質という）を含む親水性の組成物である。変色物質としてはｐＨ指示薬等が挙げられる。例えば公知のインク又は指示薬を使用することができる。ｐＨ指示薬としては、吸収性物品が本実施形態のように使い捨ておむつの場合には、尿との接触の前後で色が変化するものを用いることが好ましい。例えばブロモフェノールブルー、メチルオレンジ、アリザンＳ、ブロモクレゾールグリーン、メチルレッド、ブロモクレゾールパープル、レザズリン等、ｐＨが３〜７で変色するものが好ましい。
【００１９】
変化剤１０は、水分と接触するまでは、裏面シート３及び／又は第２の台紙４２ｂの表面に安定して固定化されている必要がある。そのような固定化を実現する方法としては、変化剤１０を、変色物質と粘着性物質とを混合した親水性の組成物として裏面シート３又は第２の台紙４２ｂの表面に塗布する方法が簡便かつ確実である。粘着性物質としては、変色物質との相溶性の点から親水性を有するものが好ましい。そのような物質としては例えば、水分と接触する前には第２の台紙４２ｂと裏面シート３との接着剤として機能する親水性のポリマーが挙げられる。親水性のポリマーとしては例えば、ポリエチレングリコール（ＰＥＧ）、ポリプロピレングリコール（ＰＰＧ）、ポリビニルアルコール（ＰＶＡ）、ポリアミド、ビニルピロリドンホモポリマー等が挙げられる。これら親水性のポリマーはその数平均分子量が、１０００〜５００００、特に２０００〜２００００であることが、確実な固定化を与える点から好ましい。
【００２０】
模様１２は、水分と接触しても視覚的に変化しないものである。具体的には、水分と接触しても色が変化しないか、色が消失しないものである。このような模様は、水不溶性のインクによって施されたものであることが好ましい。このようなインクとしては例えば、ニトロセルロース系インク、ポリアミド系インク、アクリル系インク、染料型インク等が挙げられる。
【００２１】
模様１２は、裏面シート３における第２の台紙４２ｂとの対向面又は外装カバーシート７との対向面の何れに設けてもよい。本実施形態では外装カバーシート７との対向面に模様１２を設けているので、外装カバーシート７を通しても模様１２をくっきりと見ることができる。
【００２２】
本実施形態のように、変化剤１０の視覚的変化が変色によるものである場合には、変化剤１０が視覚的に変化する前における、裏面シート３のおむつ外面側から測定した明度Ｌ＊が１５〜８０、特に２０〜７０であることが好ましく、視覚的に変化した後の明度Ｌ＊が２０〜８０、特に３０〜８０であることが好ましい。また、裏面シート３のおむつ外面側から測定した模様１２の明度Ｌ＊が３０〜９０、特に３５〜９０、とりわけ４０〜９０であることが、裏面シート３又は外装カバーシート７越しにみた模様１２が鮮明となることから好ましい。
【００２３】
変化剤１０が視覚的に変化する前の色と模様１２の色とが類似色でない場合には、変化剤１０が視覚的に変化する前の明度Ｌ＊は、模様１２の明度Ｌ＊よりも１〜１５小さいことが好ましい。逆に変化剤１０が視覚的に変化した後の色と模様１２の色とが類似色でない場合には、変化剤１０が視覚的に変化した後の明度Ｌ＊が、模様１２の明度Ｌ＊よりも１〜１５小さいことが好ましい。そして何れの場合においても、変化剤１０が視覚的に変化した後の明度Ｌ＊と、変化前の明度Ｌ＊との差が−１０〜５程度であることが好ましい。こうすることによって、排尿前では変化剤１０の線は観察者に認識されるものの模様１２に対しては相対的に目立たないのでおむつ１の意匠性の向上に有利である。一方、排尿後に変化剤１０の線が模様１２と類似した色となる場合には、観察者に一見模様１２の面積が広がったように認識させるので違和感を与え、逆に模様１２と異なった色になる場合にはあたかも線が浮き出てきたかのような印象を観察者に与える。したがって、観察者がおむつ替えの時期を確実に知る上で有利である。
【００２４】
本実施形態のおむつ１において視覚的変化の認識性を一層高めるためには、台紙４２ａ，４２ｂは親水性であることが好ましい。また台紙１枚当たりの坪量が５〜３０ｇ／ｍ２であることが好ましい。特に、第２の台紙４２ｂへの変化剤１０の定着を確実なものとし、吸収性コア４１へ変化剤１０が移行しないようにするため、及び尿の裏面シート３への到達速度を適当なものとするためには、台紙１枚当たりの坪量は５〜３０ｇ／ｍ２、特に１０〜２０ｇ／ｍ２であることが一層好ましい。本実施形態においては、第１の台紙４２ａと第２の台紙４２ｂとは同種の薄葉紙からなるので、両台紙４２ａ，４２ｂは同じ坪量であり、同じ厚みを有している。
【００２５】
変化剤１０の視覚的変化がおむつ外部からはっきりと認識できるようにするために、台紙４２ａ，４２ｂは透明度が低く且つ白色度の高いものであることが好ましい。透明度は２０％以下であることが好ましい。白色度は、Ｌ＊ａ＊ｂ＊表色系（ＣＩＥ１９７６）の色座標指数のｂ＊値を３〜マイナス値、特に１〜−５、とりわけ０〜−５とすることが好ましい。このような透明度及び白色度を有する台紙４２は例えば、漂白処理したパルプを使用したり、台紙にフィラーを含有させること等によって得られる。なお、吸収性コア４１としても白色度が高いものが好ましい。
【００２６】
Ｌ＊値、ｂ＊値は、色差計によって測定される。本発明においては、日本電色工業（株）のハンディ型分光色差計ＮＦ７７７（商品名）を用い、照明条件Ｃ、視野角条件２°、正面受光条件＝０／４５°、光束径φ１０ｍｍの測定条件で、測定サンプルの裏側に台紙を５ｍｍ以上の厚さとなるように複数枚重ねた状態で反射光を測定して求められる。
【００２７】
変化剤１０は、裏面シート３を通じておむつ外部から認識される。従って裏面シート３としては、視認性を良くするため透明度が高いものを用いることが好ましい。しかし余りに透明度が高いと、おむつ外部から排泄物が透けて見えてしまう場合がある。このような見地から、裏面シート３の光透過率は３０〜８０％、特に３５〜８０％であることが好ましい。
【００２８】
裏面シート３の光透過率は以下のようにして測定される。
＜光透過率の測定方法＞
（株）村上色彩研究所製、商品名「ＨＲ−１００」で、測定光源Ａ光源を使用して全光透過率Ｔｔの値を測定する。裏面シート上の任意の１０点を測定し、その平均値をもって光透過率の値とする。
【００２９】
前記の光透過率を有することに加えて裏面シート３は液不透過性でかつ透湿性を有するものであることが好ましい。裏面シート３の透湿度は、ＪＩＳ  Ｚ０２０８に準じ、３２℃で１時間保存後の試料についての値で、０．５〜４．０ｇ／（１００ｃｍ２・ｈｒ）であることが、おむつ内部の適度な湿度調整によって快適な履き心地が得られる点、及び体液の漏れを防止する点から好ましい。
【００３０】
このような液不透過性及び透湿性を有する裏面シート３に用いられる素材としては例えば多孔性フィルムが挙げられる。多孔性フィルムは例えば、疎水性の熱可塑性樹脂と、炭酸カルシウム等からなる微細な無機フィラー又は該樹脂と相溶性のない有機高分子等とを溶融混練してフィルムを形成し、該フィルムを一軸又はニ軸延伸して得られる。熱可塑性樹脂としては例えばポリオレフィンが挙げられる。ポリオレフィンとしては高〜低密度ポリエチレン、線状低密度ポリエチレン、ポリプロピレン、ポリブテン等が挙げられ、これらを単独又は混合して使用することができる。
【００３１】
裏面シート３の素材として坪量１０〜４０ｇ／ｍ２の多孔性フィルムを使用すると、変化剤１０の視覚的変化がおむつ外部から認識し易くなると共に、柔軟な感触が得られるので好ましい。
【００３２】
外層シート５は、変化剤の視覚的変化が認識し易いように、所定の光透過率を有するものが好ましい。外層シート５の光透過率は５０％以上であることが好ましく、５５％以上、特に６０％以上であることが好ましい。
【００３３】
変化剤１０がおむつ外部から透けて見えるように、外装カバーシート７としては前記光透過率が得られる坪量及び／又は厚さの不織布を用いることが好ましい。該不織布はその坪量が５〜４５ｇ／ｍ２、特に１０〜４０ｇ／ｍ２であることが、変化剤１０の視覚的変化の認識性と風合いや手触りなどの官能的な性能とを両立する点から好ましい。
【００３４】
外装カバーシート７に用いられる不織布としては、例えばポリエチレンやポリプロピレン等のポリオレフィン、ポリエチレンテレフタレート等のポリエステルからなる熱可塑性樹脂単独の繊維や、これらの樹脂の２種以上を用いてなる芯鞘型やサイドバイサイド型の構造を有する複合繊維から構成される不織布等が挙げられる。
【００３５】
外装カバーシート７に用いられる不織布としては、その地色の透明度が高く且つ白色度が高いものを用いることが、変化剤１０の視覚的変化の認識性が高まるので好ましい。但し外装カバーシート７は、おむつ厚み方向に関して、変化剤１０を配した領域との重なり部分において、当該重なり部分の大部分が白色であれば良く、当該重なり部分以外の領域に、変化剤１０の視覚的変化の認識性を妨げない範囲で印刷を施しても構わない。
【００３６】
吸収性コア４１を被覆する台紙としては、図１及び図２に示すものに代えて図３に示すものを用いることもできる。図３においては、一枚の台紙４２によって吸収性コア４１が被覆されており、台紙４２はその左右両側部４２ｃ，４２ｄが、吸収性コア４１におけるバックシート３との対向面側において所定幅で重なり合って二重になっている。そして二重に重なっている台紙４２上に変化剤１０が設けられている。このような構成を採用することによって、おむつ１の取り替え時期を知らせる視覚的な変化の認識性を高めることができる。
【００３７】
図３に示す実施形態における、視覚的な変化の認識性を高めるメカニズムは以下の（１）〜（３）ように推測される。
（１）尿が変化剤１０の存在する場所に到達して変化剤１０が変色する。これと共に変化剤１０が尿中に溶出又は分散して、裏面シート３に接している第１層目の台紙４２ａ内に移行する。変化剤１０は、第１層目の台紙４２ａよりも吸収性コア４１側に存在する第２層目の台紙４２ｂにも若干量移行しようとするが、下記（２）及び（３）により大部分は第１層目の台紙４２ａに定着するので、第２層目の台紙４２ｂには殆ど移行しない。
（２）第２層目の台紙４２ｄは、尿が裏面シート３まで移行して来る段階で既に濡れている。従ってそれ以上積極的に液を吸収しづらい状態になっている。このことも、変化剤１０が第２層目の台紙４２ｄに殆ど移行しない一因と考えられる。
（３）第２層目の台紙４２ｄが存在することで、変化剤１０と接している第１層目の台紙４２ｃが直接吸収性コア４１と接することが妨げられている。これにより、変化剤１０が吸収性コア４１によって平面方向へ拡散されて変色剤１０の色が薄くなることが防がれる。
【００３８】
図３において互いに重なり合っている第１層目の台紙４２ｃと第２層目の台紙４２ｄとは、おむつ１の厚み方向に関して、変化剤１０が存在する領域との重なり部分の少なくとも一部において、疎水性の粘着剤（例えばホットメルト粘着剤）で互いに接着されていることが好ましい。これによって、第１層目の台紙４２ａにおいて尿がおむつ幅方向へ拡散することが防止され、それによって変化剤１０の拡散に起因する色のにじみが抑制される。
【００３９】
本発明の吸収性物品は、前述した実施形態に制限されず、本発明の趣旨を逸脱しない範囲で種々の変更が可能である。例えば、吸収性コア４１の周囲を被覆するシート材としては、前述したティッシュペーパー等からなる台紙に代えて親水性の不織布を用いることも可能である。また、前述した実施形態では、背側部Ａの左右両側縁にファスニングテープ８，８を設けたが、これに代えて背側部Ａの左右両側縁に、側方に延出する一対のウエストバンドをそれぞれ設けてもよい。そして、一方のウエストバンドの先端部にバンド止着部を設け、この止着部によって左右のウエストバンドを、着用者の腹側又は背側において止着するようにしてもよい。
【００４０】
また前記実施形態は展開型の使い捨ておむつに係るものであったが、本発明は他の吸収性物品、例えばパンツ型の使い捨ておむつ、生理用ナプキン、生理用ショーツ等にも同様に適用可能である。
【００４１】
【発明の効果】
本発明の吸収性物品は、排尿による交換時期を知らせる視覚的変化がおむつ外部から非常に認識し易いものである。
【図面の簡単な説明】
【図１】本発明の一実施形態としての使い捨ておむつを裏面シート側からみた一部破断平面図である。
【図２】図１におけるＩＩ−ＩＩ線断面図である。
【図３】吸収体の別の構成を示す断面図（図２相当図）である。
【符号の説明】
１  使い捨ておむつ（吸収性物品）
２  表面シート
３  裏面シート
４  吸収体
４１  吸収性コア
４２  台紙
４２ａ  第１層目の台紙
４２ｂ  第２層目の台紙
５  ウエスト部
６  レッグ部
７  外装カバーシート
８  ファスニングテープ
９  ランディングテープ
１０  親水性の組成物（変化剤）
１２  模様
【図１】
2004337385.tif 000003
【図２】
2004337385.tif 000004
【図３】
2004337385.tif 000005